(57)【要約】本明細書で説明される態様は、一般に、ワイヤレス通信においてバッファステータスレポート（ＢＳＲ）を通信することに関する。デバイスから１つまたは複数の他のデバイスに通信するための、デバイスのバッファに記憶された複数のメッセージの各々のサイズを示すＢＳＲはデバイスにおいて生成されることができる。ＢＳＲは、複数のメッセージのうちの１つまたは複数を１つまたは複数の他のデバイスに通信するためのリソースを要求するために基地局に送信されることができる。【選択図】  図１
2018519745.tif 000002
【特許請求の範囲】
【請求項１】
ワイヤレス通信においてバッファステータスレポート（ＢＳＲ）を通信するための方法であって、
デバイスにおいて、前記デバイスから１つまたは複数の他のデバイスに通信するための、前記デバイスのバッファに記憶された複数のメッセージの各々のサイズを示すＢＳＲを生成することと、
前記複数のメッセージのうちの１つまたは複数を前記１つまたは複数の他のデバイスに通信するためのリソースを要求するために前記ＢＳＲを基地局に送信することと
を備える方法。
【請求項２】
前記ＢＳＲは、前記デバイスの前記バッファに記憶された前記複数のメッセージの数を示すインジケーションを含む、請求項１に記載の方法。
【請求項３】
前記ＢＳＲは、前記デバイスの前記バッファに記憶された前記複数のメッセージの各々についてのメッセージタイプを含む、請求項１に記載の方法。
【請求項４】
前記ＢＳＲは、前記ＢＳＲにおいて論理チャネルグループ識別子を指定することに少なくとも部分的に基づいて前記メッセージタイプを示す、請求項３に記載の方法。
【請求項５】
複数のメッセージタイプへの複数の論理チャネルグループ識別子のマッピングを受信することと、
前記ＢＳＲにおいて示すための、前記マッピングにおける前記メッセージタイプに対応する前記論理チャネルグループ識別子を前記複数の論理チャネルグループ識別子から選択することと
をさらに備える、請求項４に記載の方法。
【請求項６】
前記マッピングを受信することは、前記デバイスにおいて構成に記憶されたものから前記マッピングを取得すること、または、前記基地局から前記マッピングを受信することのうちの少なくとも１つを備える、請求項５に記載の方法。
【請求項７】
前記デバイスから前記基地局に前記マッピングを送信することをさらに備える、請求項５に記載の方法。
【請求項８】
前記ＢＳＲは、前記複数のメッセージの各々についてのターゲットレンジ、ターゲット伝送電力、ターゲット優先度、またはターゲットレイテンシのうちの少なくとも１つを含む、請求項１に記載の方法。
【請求項９】
前記ＢＳＲに少なくとも部分的に基づいて、前記複数のメッセージのうちの前記１つまたは複数を前記１つまたは複数の他のデバイスに通信するためのリソース割振りを前記基地局から受信することをさらに備える、請求項１に記載の方法。
【請求項１０】
前記複数のメッセージのうちの前記１つまたは複数を前記１つまたは複数の他のデバイスに通信することは、前記リソース割振りに基づいて、前記複数のメッセージのうちの前記１つまたは複数を、サイドリンク通信を使用してユーザ機器（ＵＥ）またはアップリンク通信を使用して前記基地局のうちの少なくとも１つに送信することを備える、請求項９に記載の方法。
【請求項１１】
ワイヤレス通信においてバッファステータスレポート（ＢＳＲ）を通信するための装置であって、
トランシーバと、
前記トランシーバを介して送信するための１つまたは複数のメッセージを含むバッファを記憶するように構成されたメモリと、
前記トランシーバおよび前記メモリと通信可能に結合された少なくとも１つのプロセッサと
を備え、前記少なくとも１つのプロセッサは、
前記バッファに記憶された複数のメッセージのうちの１つまたは複数を１つまたは複数のデバイスに通信するための、前記複数のメッセージの各々のサイズを示すＢＳＲを生成することと、
前記複数のメッセージのうちの前記１つまたは複数を前記１つまたは複数のデバイスに通信するためのリソースを要求するために前記ＢＳＲを基地局に送信することと
を行うように構成される、装置。
【請求項１２】
前記ＢＳＲは、前記バッファに記憶された前記複数のメッセージの数を示すインジケーションを含む、請求項１１に記載の装置。
【請求項１３】
前記ＢＳＲは、前記バッファに記憶された前記複数のメッセージの各々についてのメッセージタイプを含む、請求項１１に記載の装置。
【請求項１４】
前記ＢＳＲは、前記ＢＳＲにおいて論理チャネルグループ識別子を指定することに少なくとも部分的に基づいて前記メッセージタイプを示す、請求項１３に記載の装置。
【請求項１５】
前記少なくとも１つのプロセッサは、
複数のメッセージタイプへの複数の論理チャネルグループ識別子のマッピングを受信することと、
前記ＢＳＲにおいて示すための、前記マッピングにおける前記メッセージタイプに対応する前記論理チャネルグループ識別子を前記複数の論理チャネルグループ識別子から選択することと
を行うようにさらに構成される、請求項１４に記載の装置。
【請求項１６】
前記少なくとも１つのプロセッサは、前記メモリにおいて構成に記憶されたものから前記マッピングを取得すること、または、前記基地局から前記マッピングを受信することのうちの少なくとも１つによって、前記マッピングを受信するように構成される、請求項１５に記載の装置。
【請求項１７】
前記少なくとも１つプロセッサは、前記基地局に前記マッピングを送信するようにさらに構成される、請求項１５に記載の装置。
【請求項１８】
前記ＢＳＲは、前記複数のメッセージの各々についてのターゲットレンジ、ターゲット伝送電力、ターゲット優先度、またはターゲットレイテンシのうちの少なくとも１つを含む、請求項１１に記載の装置。
【請求項１９】
前記少なくとも１つのプロセッサは、前記ＢＳＲに少なくとも部分的に基づいて、前記複数のメッセージのうちの前記１つまたは複数を前記１つまたは複数のデバイスに通信するためのリソース割振りを前記基地局から受信するように構成される、請求項１１に記載の装置。
【請求項２０】
前記少なくとも１つのプロセッサは、サイドリンク通信を使用してユーザ機器（ＵＥ）またはアップリンク通信を使用して前記基地局のうちの少なくとも１つに前記複数のメッセージのうちの前記１つまたは複数を、前記リソース割振りに基づいて、送信することで、前記複数のメッセージのうちの前記１つまたは複数を前記１つまたは複数のデバイスに通信するように構成される、請求項１９に記載の装置。
【請求項２１】
ワイヤレス通信においてバッファステータスレポート（ＢＳＲ）を通信するための装置であって、
バッファに記憶された複数のメッセージのうちの１つまたは複数を１つまたは複数のデバイスに通信するための、前記複数のメッセージの各々のサイズを示すＢＳＲを生成するための手段と、
前記複数のメッセージのうちの前記１つまたは複数を前記１つまたは複数のデバイスに通信するためのリソースを要求するために前記ＢＳＲを基地局に送信するための手段と
を備える装置。
【請求項２２】
前記ＢＳＲは、前記バッファに記憶された前記複数のメッセージの数を示すインジケーションを含む、請求項２１に記載の装置。
【請求項２３】
前記ＢＳＲは、前記バッファに記憶された前記複数のメッセージの各々についてのメッセージタイプを含む、請求項２１に記載の装置。
【請求項２４】
前記ＢＳＲは、前記ＢＳＲにおいて論理チャネルグループ識別子を指定することに少なくとも部分的に基づいて前記メッセージタイプを示す、請求項２３に記載の装置。
【請求項２５】
前記ＢＳＲは、前記複数のメッセージの各々についてのターゲットレンジ、ターゲット伝送電力、ターゲット優先度、またはターゲットレイテンシのうちの少なくとも１つを含む、請求項２１に記載の装置。
【請求項２６】
ワイヤレス通信においてバッファステータスレポート（ＢＳＲ）を通信するためのコンピュータ実行可能なコードを記憶したコンピュータ読取可能な媒体であって、前記コードは、
デバイスにおいて、前記デバイスから１つまたは複数の他のデバイスに通信するための、前記デバイスのバッファに記憶された複数のメッセージの各々のサイズを示すＢＳＲを生成するためのコードと、
前記複数のメッセージのうちの１つまたは複数を前記１つまたは複数の他のデバイスに通信するためのリソースを要求するために前記ＢＳＲを基地局に送信するためのコードと
を備える、コンピュータ読取可能な媒体。
【請求項２７】
前記ＢＳＲは、前記デバイスの前記バッファに記憶された前記複数のメッセージの数を示すインジケーションを含む、請求項２６に記載のコンピュータ読取可能な媒体。
【請求項２８】
前記ＢＳＲは、前記デバイスの前記バッファに記憶された前記複数のメッセージの各々についてのメッセージタイプを含む、請求項２６に記載のコンピュータ読取可能な媒体。
【請求項２９】
前記ＢＳＲは、前記ＢＳＲにおいて論理チャネルグループ識別子を指定することに少なくとも部分的に基づいて前記メッセージタイプを示す、請求項２８に記載のコンピュータ読取可能な媒体。
【請求項３０】
前記ＢＳＲは、前記複数のメッセージの各々についてのターゲットレンジ、ターゲット伝送電力、ターゲット優先度、またはターゲットレイテンシのうちの少なくとも１つを含む、請求項２６に記載のコンピュータ読取可能な媒体。
【発明の詳細な説明】
【米国特許法第１１９条に基づく優先権の主張】
【０００１】
[0001]本願は、２０１６年６月２９日に出願された「TECHNIQUES FOR REPORTING BUFFER STATUS IN WIRELESS COMMUNICATIONS」と題する非仮出願第１５／１９７，４７７号および２０１５年７月２日に出願された「TECHNIQUES FOR REPORTING BUFFER STATUS IN WIRELESS COMMUNICATIONS」と題する仮出願第６２／１８８，２２５号への優先権を主張し、それらは、それらの譲受人に譲渡され、これによって、すべての目的で参照により本明細書に明確に組み込まれる。
【背景技術】
【０００２】
[0002]一般に通信システムに関し、より具体的には、ワイヤレス通信においてバッファステータスを示すことに関する態様が本明細書で説明される。
【０００３】
[0003]ワイヤレス通信システムは、電話通信、ビデオ、データ、メッセージング、およびブロードキャストといった様々な電気通信サービスを提供するために広く展開されている。典型的なワイヤレス通信システムは、利用可能なシステムリソース（たとえば、帯域幅、伝送電力）を共有することで複数のユーザとの通信をサポートすることができる多元接続技術を用い得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、異なるワイヤレスデバイスが都市、国家、地域、さらには地球規模で通信することを可能にする共通プロトコルを提供するために、様々な電気通信規格に採用されている。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格の強化のセットである。ＬＴＥの発展には、通信リソースをスケジューリングするための基地局の支援を得てまたは支援なしに、車両ベースのユーザ機器（ＵＥ）がネットワーク内の他のＵＥと直接通信することができる車車間（Ｖ２Ｖ）、歩車間（Ｖ２Ｐ）、路車間（Ｖ２Ｉ）、等の通信（本明細書では、総称して「Ｖ２Ｘ」と呼ぶ）が含まれる。たとえば、車両ベースのＵＥは、衝突警告を示すために、ＬＴＥによって通信リソースを通して互いにメッセージを直接通信することができ、これは、車両において特定の動作を引き起こすことができる。他の例では、車両ベースのＵＥは、周期的ステータスレポートをインフラストラクチャに直接通信することができ、これは、他のネットワークエンティティ、等にレポートされることができる。
【０００５】
[0005]追加的に、ＬＴＥでは、ＵＥは現在、ワイヤレスネットワークにおいて通信するためのリソースの割振りを基地局から受信することを容易にするために、バッファステータスレポート（ＢＳＲ）を基地局に通信する。ＢＳＲは典型的に、ワイヤレスネットワークにおいて送信されることとなるデータによって占有されている、ＵＥにおけるバッファ中のバイト数を示す。基地局は、基地局とデータを通信することを容易にするために、デバイスに許可するためのリソース割振りを決定する際にそのバイト数を利用する。バッファ中のバイト数を示すためにＬＴＥにおいて現在使用されているＢＳＲのフォーマットは、Ｖ２Ｘ通信の場合、リソースを割り振るのに有益ではないであろう。
【発明の概要】
【０００６】
[0006]以下に、１つまたは複数の態様の基本的な理解を提供するために、そのような態様の簡略化された概要を提示する。この概要は、意図されるすべての態様の広範な概観ではなく、すべての態様の主要または重要な要素を特定するようにも、任意またはすべての態様の範囲を定めるようにも意図されない。その唯一の目的は、後に提示されるより詳細な説明への前置きとして、簡略化された形式で１つまたは複数の態様のいくつかの概念を提示することである。
【０００７】
[0007]ある例によれば、ワイヤレス通信においてバッファステータスレポート（ＢＳＲ）を通信するための方法が提供される。方法は、デバイスにおいて、デバイスから１つまたは複数の他のデバイスに通信するための、デバイスのバッファに記憶された複数のメッセージの各々のサイズを示すＢＳＲを生成することと、複数のメッセージのうちの１つまたは複数を１つまたは複数の他のデバイスに通信するためのリソースを要求するためにＢＳＲを基地局に送信することとを含む。
【０００８】
[0008]別の例では、ワイヤレス通信においてＢＳＲを通信するための装置が提供される。装置は、トランシーバと、このトランシーバを介して送信するための１つまたは複数のメッセージを含むバッファを記憶するように構成されたメモリと、トランシーバおよびメモリと通信可能に結合された少なくとも１つのプロセッサとを含む。少なくとも１つのプロセッサは、バッファに記憶された複数のメッセージのうちの１つまたは複数を１つまたは複数のデバイスに通信するための、複数のメッセージの各々のサイズを示すＢＳＲを生成することと、複数のメッセージのうちの１つまたは複数を１つまたは複数のデバイスに通信するためのリソースを要求するためにＢＳＲを基地局に送信することとを行うように構成される。
【０００９】
[0009]さらに別の例では、ワイヤレス通信においてＢＳＲを通信するための装置が提供される。装置は、バッファに記憶された複数のメッセージのうちの１つまたは複数を１つまたは複数のデバイスに通信するための、複数のメッセージの各々のサイズを示すＢＳＲを生成するための手段と、複数のメッセージのうちの１つまたは複数を１つまたは複数のデバイスに通信するためのリソースを要求するためにＢＳＲを基地局に送信するための手段とを含む。
【００１０】
[0010]さらなる例では、ワイヤレス通信においてＢＳＲを通信するためのコンピュータ実行可能なコードを記憶したコンピュータ読取可能な媒体が提供される。コードは、デバイスにおいて、デバイスから１つまたは複数の他のデバイスに通信するための、デバイスのバッファに記憶された複数のメッセージの各々のサイズを示すＢＳＲを生成するためのコードと、複数のメッセージのうちの１つまたは複数を１つまたは複数の他のデバイスに通信するためのリソースを要求するためにＢＳＲを基地局に送信するためのコードとを含む。
【００１１】
[0011]別の態様によれば、ワイヤレス通信においてＢＳＲを通信するための方法が提供される。方法は、基地局において、デバイスからＢＳＲを受信することを含み、ここにおいて、ＢＳＲは、デバイスから１つまたは複数の他のデバイスに通信するための、デバイスのバッファに記憶された複数のメッセージの各々のサイズを示す。方法また、複数のメッセージのうちの少なくとも１つを１つまたは複数の他のデバイスに通信することを容易にするための、デバイスに対するリソースの割振りを、ＢＳＲにおいて示されるような複数のメッセージのうちの少なくとも１つのサイズに少なくとも部分的に基づいて決定することと、デバイスにリソースの割振りを示すインジケーションを送信することとを含む。
【００１２】
[0012]別の例では、ワイヤレス通信においてＢＳＲを通信するための装置が提供される。装置は、トランシーバと、このトランシーバを介して送信するための１つまたは複数のメッセージを含むバッファを記憶するように構成されたメモリと、トランシーバおよびメモリと通信可能に結合された少なくとも１つのプロセッサとを含む。少なくとも１つのプロセッサは、デバイスからＢＳＲを受信するように構成され、ここにおいて、ＢＳＲは、デバイスから１つまたは複数の他のデバイスに通信するための、デバイスのバッファに記憶された複数のメッセージの各々のサイズを示す。少なくとも１つのプロセッサは、複数のメッセージのうちの少なくとも１つを１つまたは複数の他のデバイスに通信することを容易にするための、デバイスに対するリソースの割振りを、ＢＳＲにおいて示されるような複数のメッセージのうちの少なくとも１つのサイズに少なくとも部分的に基づいて決定することと、デバイスにリソースの割振りを示すインジケーションを送信することとを行うようにさらに構成される。
【００１３】
[0013]さらに別の例では、ワイヤレス通信においてＢＳＲを通信するための装置が提供される。装置は、デバイスからＢＳＲを受信するための手段を含み、ここにおいて、ＢＳＲは、デバイスから１つまたは複数の他のデバイスに通信するための、デバイスのバッファに記憶された複数のメッセージの各々のサイズを示す。装置は、複数のメッセージのうちの少なくとも１つを１つまたは複数の他のデバイスに通信することを容易にするための、デバイスに対するリソースの割振りを、ＢＳＲにおいて示されるような複数のメッセージのうちの少なくとも１つのサイズに少なくとも部分的に基づいて決定するための手段と、デバイスにリソースの割振りを示すインジケーションを送信するための手段とをさらに含む。
【００１４】
[0014]さらなる態様では、ワイヤレス通信においてＢＳＲを通信するためのコンピュータ実行可能なコードを記憶したコンピュータ読取可能な媒体が提供される。コードは、基地局において、デバイスからＢＳＲを受信するためのコードを含み、ここにおいて、ＢＳＲは、デバイスから１つまたは複数の他のデバイスに通信するための、デバイスのバッファに記憶された複数のメッセージの各々のサイズを示す。コードは、複数のメッセージのうちの少なくとも１つを１つまたは複数の他のデバイスに通信することを容易にするための、デバイスに対するリソースの割振りを、ＢＳＲにおいて示されるような複数のメッセージのうちの少なくとも１つのサイズに少なくとも部分的に基づいて決定するためのコードと、デバイスにリソースの割振りを示すインジケーションを送信するためのコードとをさらに含む。
【００１５】
[0015]前述した目的および関連する目的の達成のために、１つまたは複数の態様は、以下に十分に説明され、かつ、特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示し、この説明は、すべてのこのような態様およびそれらの等価物を含むよう意図される。
【図面の簡単な説明】
【００１６】
【図１】[0016]図１は、本明細書で説明される態様に係る、電気通信システムの例を概念的に例示するブロック図を示す。
【図２】[0017]図２は、アクセスネットワークの例を例示する図である。
【図３】[0018]図３は、アクセスネットワークにおける発展型ノードＢおよびユーザ機器の例を例示する図である。
【図４】[0019]図４は、本明細書で説明される態様に係る、バッファステータスレポート（ＢＳＲ）を通信するための例となるシステムを例示する図である。
【図５】[0020]図５は、本明細書で説明される態様に係る、ＢＳＲを送信するための例となる方法のフローチャートである。
【図６】[0021]図６は、本明細書で説明される態様に係る、ＢＳＲに基づいてリソース割振りを通信するための例となる方法のフローチャートである。
【発明の詳細な説明】
【００１７】
[0022]添付の図面に関連して以下に示される詳細な説明は、様々な構成の説明を意図としており、本明細書で説明される概念が実践され得る唯一の構成を表すように意図したものではない。詳細な説明は、様々な概念の完全な理解を提供するために特定の詳細を含む。しかしながら、これらの概念がこれらの特定の詳細なしに実践され得ることは、当業者に明らかであろう。いくつかの事例では、そのような概念を曖昧にしないために、周知の構成要素はブロック図の形式で示される。
【００１８】
[0023]電気通信システムのいくつかの態様が、これより、様々な装置および方法に関連して提示されるであろう。これらの装置および方法は、以下の詳細な説明で説明され、様々なブロック、モジュール、構成要素、回路、ステップ、プロセス、アルゴリズム、等（総称して「要素」と呼ばれる）によって添付の図面で例示されるであろう。これらの要素は、電子ハードウェア、コンピュータソフトウェア、またはそれらの任意の組み合わせを使用して実施され得る。そのような要素がハードウェアとして実施されるかソフトウェアとして実施されるかは、特定の用途およびシステム全体に課される設計制約に依存する。
【００１９】
[0024]例として、１つの要素、または１つの要素の任意の部分、あるいは複数の要素の任意の組み合わせが、１つまたは複数のプロセッサを含む「処理システム」を用いて実施され得る。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体を通じて説明される様々な機能性を実行するように構成された他の適切なハードウェアが含まれる。処理システム内の１つまたは複数のプロセッサはソフトウェアを実行し得る。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。
【００２０】
[0025]したがって、１つまたは複数の態様では、説明される機能は、ハードウェア、ソフトウェア、ファームウェア、またはこれらの任意の組み合わせにより実施され得る。ソフトウェアにより実施される場合、これらの機能は、コンピュータ読取可能な媒体上の１つまたは複数の命令またはコードとして記憶または符号化され得る。コンピュータ読取可能な媒体はコンピュータ記憶媒体を含む。記憶媒体は、コンピュータによりアクセスされることができる任意の利用可能な媒体であり得る。限定ではなく例として、このようなコンピュータ読取可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを搬送または記憶するために使用可能であり、かつ、コンピュータによってアクセス可能な任意の他の媒体を備えることができる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、およびフロッピー（登録商標）ディスクを含み、ここで、ディスク（disk）は、通常磁気的にデータを再生し、ディスク（disc）は、レーザーを用いて光学的にデータを再生する。上記の組み合わせもまた、コンピュータ読取可能な媒体の範囲内に含まれるべきである。
【００２１】
[0026]車車間（Ｖ２Ｖ）、歩車間（Ｖ２Ｐ）、路車間（Ｖ２Ｉ）、等の通信（本明細書では、総称して「Ｖ２Ｘ」と呼ばれる）におけるデバイスについてのバッファステータスを示すことに関する様々な態様が本明細書で説明される。Ｖ２Ｘ通信では、ある時間期間にわたって単一の通信でメッセージ全体が送信および受信されることを確実にするために各メッセージが別々に送信されることが重要であり得る。これは、衝突警告をレポートするためのメッセージのようないくつかのメッセージのクリティカリティ（criticality）または重要性によるものであり得る。このように、車両ベースのユーザ機器（ＵＥ）は、車両ベースのＵＥによってワイヤレスネットワークにおいて通信されることとなるメッセージ（たとえば、車両ベースのＵＥにおける１つまたは複数のバッファ中のメッセージ）の追加の詳細を指定することができるバッファステータスレポート（ＢＳＲ）を生成することができる。たとえば、車両ベースのＵＥは、ワイヤレスネットワークにおいて１つまたは複数のデバイスに通信するための、バッファに記憶された複数のメッセージの各々についてのメッセージサイズを示すＢＳＲを生成することができる。たとえば、ＢＳＲは、この点において、バッファ中の各々の（または、少なくとも１つのまたはそれより多くの）メッセージに対応するメッセージサイズのリストを指定することができる。リソースをＵＥに割り振る基地局は、ある時間期間にわたって単一の通信でバッファからメッセージのうちの１つまたは複数を、各々そっくりそのまま、送信することを容易にするために、メッセージのうちの１つまたは複数のサイズに基づいて相応に（accordingly）リソースを割り振ることができる。
【００２２】
[0027]さらに、たとえば、ＢＳＲは、バッファ中のメッセージの数を示し得る（たとえば、明示的なインジケーションとしておよび／またはＢＳＲ中のメッセージサイズの数に基づいて）。ＢＳＲはまた、バッファ中のメッセージのうちの１つまたは複数のメッセージタイプを示し得る。基地局は、メッセージのためにリソースを割り振るための優先度のようなメッセージタイプおよび／または同様のものに基づいて、リソースを割り振るための追加のパラメータを決定し得る。ＢＳＲは、追加的に、１つまたは複数のメッセージについての、ターゲットレンジ、ターゲット伝送電力、ターゲット優先度、ターゲットレイテンシ、等を示し得、これらは、車両ベースのＵＥに対するリソース割振りを決定する際に基地局が利用することができる。ある例では、メッセージは、Ｖ２Ｘ通信で通信されるアプリケーションレイヤメッセージに関し得、ＢＳＲは、メッセージサイズ、メッセージの数、メッセージタイプ、等のアプリケーションレイヤ情報がＭＡＣレイヤ通信を介してＵＥと基地局との間で通信されるように、媒体アクセス制御（ＭＡＣ）レイヤ通信の一部であり得る。
【００２３】
[0028]Ｖ２Ｘ通信の観点で説明されるが、単一通信で個別のメッセージのうちの１つまたは複数を通信するための、基地局または他のネットワークエンティティによるより正確なリソース割振りのためにメッセージに関する追加情報を提供することを容易にするため、ＢＳＲにおいてメッセージサイズを示すことに関連して以下で説明される概念が、実質的に任意のタイプのメッセージベースの通信に適用され得ることは認識されるべきである。
【００２４】
[0029]図１に関して、図は、本明細書で説明される態様に係る、ワイヤレス通信システム１００の例を例示する。ワイヤレス通信システム１００は、複数の基地局（たとえば、ｅＮＢ、ＷＬＡＮアクセスポイント、または他のアクセスポイント）１０５、多数のユーザ機器（ＵＥ）１１５、およびコアネットワーク１３０を含む。１つまたは複数のＵＥ１１５は、１つまたは複数のＵＥ１１５へのリソースの割振りを容易にするために、少なくとも、メッセージの数および／またはメッセージのサイズを示す、１つまたは複数のバッファのバッファステータスを示すインジケーション（たとえば、ＢＳＲ）を生成するように構成された通信構成要素３６１（たとえば、図４参照）を含み得る。同様に、１つまたは複数の基地局１０５は、１つまたは複数のＵＥ１１５から１つまたは複数のバッファのバッファステータスを示すインジケーション（たとえば、ＢＳＲ）を受信し、メッセージのうちの１つまたは複数を送信するためのリソースを、このＢＳＲにおいて示されるメッセージのサイズに少なくとも部分的に基づいて相応にスケジューリングするように構成されたスケジューリング構成要素３０２（たとえば、図４参照）を含み得る。
【００２５】
[0030]たとえば、ＵＥ１１５は、（たとえば、デバイス・ツー・デバイス通信に対して定義されたＬＴＥ無線アクセス技術に基づいて）Ｖ２Ｘ通信を使用して通信する車両ベースのＵＥを含み得る。したがって、たとえば、ＵＥ１１５は、ダイレクトメッセージベースの通信を使用して（たとえば、リソースをスケジューリングするための基地局１０５の支援を得てまたは支援なしに）互いに通信し得る。ある例では、通信構成要素３６１は、ＢＳＲを、このＢＳＲに基づいてリソースをネゴシエートするための通信構成要素３６１を同じく含む１つまたは複数のＵＥ１１５にレポートし得る。基地局１０５のうちのいくつかは、様々な例においてコアネットワーク１３０または特定の基地局１０５（たとえば、ｅＮＢ）の一部であり得る基地局コントローラ（図示されない）の制御下でＵＥ１１５と通信し得る。基地局１０５は、バックホールリンク１３２を通じてコアネットワーク１３０と制御情報および／またはユーザデータを通信し得る。複数の例では、基地局１０５は、直接的または間接的のいずれかで、ワイヤードまたはワイヤレス通信リンクであり得るバックホールリンク１３４を通して互いに通信し得る。ワイヤレス通信システム１００は、複数のキャリア（異なる周波数の波形信号）上の動作をサポートし得る。マルチキャリア送信機は、複数のキャリア上で変調信号を同時に送信することができる。たとえば、通信リンク１２５の各々は、上で説明した様々な無線技術にしたがって変調されたマルチキャリア信号であり得る。各変調信号は、異なるキャリア上で送られ得、制御情報（たとえば、基準信号、制御チャネル、等）、オーバヘッド情報、データ等を搬送し得る。
【００２６】
[0031]基地局１０５は、１つまたは複数の基地局アンテナを介してＵＥ１１５とワイヤレスに通信し得る。基地局１０５サイトの各々は、それぞれのカバレッジエリア１１０に対して通信カバレッジを提供し得る。いくつかの例では、基地局１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の適切な専門用語で呼ばれ得る。基地局のためのカバレッジエリア１１０は、カバレッジエリアの一部だけを構成するセクタ（図示せず）に分割され得る。ワイヤレス通信システム１００は、異なるタイプの基地局１０５（たとえば、マクロ、マイクロ、および／またはピコ基地局）を含み得る。基地局１０５はまた、セルラおよび／またはＷＬＡＮ無線アクセス技術（ＲＡＴ）のような、異なる無線技術を利用し得る。基地局１０５は、同じまたは異なるアクセスネットワークあるいはオペレータ展開に関連付けられ得る。同じまたは異なるタイプの基地局１０５のカバレッジエリアを含み、同じまたは異なる無線技術を利用し、および／または同じまたは異なるアクセスネットワークに属する、異なる基地局１０５のカバレッジエリアは重複し得る。
【００２７】
[0032]ＬＴＥ／ＬＴＥ−アドバンスド（ＬＴＥ−Ａ）では、たとえば、発展型ノードＢ（ｅノードＢまたはｅＮＢ）という用語は、一般に、基地局１０５を説明するために使用され得る。ワイヤレス通信システム１００は、異なるタイプのアクセスポイントが様々な地理的領域に対してカバレッジを提供する、異種ＬＴＥ／ＬＴＥ−Ａネットワークであり得る。たとえば、各基地局１０５は、マクロセル、ピコセル、フェムトセル、および／または他のタイプのセルのために通信カバレッジを提供し得る。ピコセル、フェムトセル、および／または他のタイプのセルのようなスモールセルは、低電力ノードすなわちＬＰＮを含み得る。マクロセルは、比較的広い地理的エリア（たとえば、半径数キロメートル）をカバーし得、ネットワークプロバイダのサービスに加入しているＵＥ１１５による無制限のアクセスを可能にし得る。スモールセルは、比較的狭い地理的エリアをカバーし得、たとえば、ネットワークプロバイダのサービスに加入しているＵＥ１１５による無制限アクセスを可能にし得、無制限アクセスに加えて、このスモールセルとの関連性を有するＵＥ１１５（たとえば、クローズド加入者グループ（ＣＳＧ）中のＵＥ、家にいるユーザのＵＥ、等）による制限付きアクセスも提供し得る。マクロセルのためのｅＮＢはマクロｅＮＢと呼ばれ得る。スモールセルのためのｅＮＢはスモールセルｅＮＢと呼ばれ得る。ｅＮＢは、１つまたは複数（たとえば、２つ、３つ、４つ、等）のセルをサポートし得る。
【００２８】
[0033]コアネットワーク１３０は、バックホール１３２（たとえば、Ｓ１インターフェース、等）を介してｅＮＢまたは他の基地局１０５と通信し得る。基地局１０５はまた、たとえば、バックホールリンク１３４（たとえば、Ｘ２インターフェース、等）を介しておよび／またはバックホールリンク１３２を介して（たとえば、コアネットワーク１３０を通じて）直接的または間接的に互いに通信し得る。ワイヤレス通信システム１００は、同期動作または非同期動作をサポートし得る。同期動作の場合、基地局１０５は、同様のフレームタイミングを有し得、異なる基地局１０５からの送信は、時間的にほぼアラインされているであろう。非同期動作の場合、基地局１０５は、異なるフレームタイミングを有し得、異なる基地局１０５からの送信は、時間的にアラインされていないこともある。本明細書で説明する技法は、同期動作または非同期動作のいずれに対しても使用され得る。
【００２９】
[0034]ＵＥ１１５は、ワイヤレス通信システム１００全体に散在しており、各ＵＥ１１５は、据置式または可動式であり得る。ＵＥ１１５は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、腕時計または眼鏡のようなウェアラブルアイテム、ワイヤレスローカルループ（ＷＬＬ）局、車両ベースのＵＥ、または同様のものであり得る。ＵＥ１１５は、マクロｅノードＢ、スモールセルｅノードＢ、中継器、等と通信することが可能であり得る。ＵＥ１１５はまた、セルラまたは他のＷＷＡＮアクセスネットワークあるいはＷＬＡＮアクセスネットワークのような、異なるアクセスネットワーク上で通信することが可能であり得る。
【００３０】
[0035]ワイヤレス通信システム１００に示される通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は、順方向リンク送信とも呼ばれ得、アップリンク送信は、逆方向リンク送信とも呼ばれ得る。ＵＥ１１５は、協力して、たとえば、多入力多出力（ＭＩＭＯ）、キャリアアグリゲーション（ＣＡ）、多地点協調（ＣｏＭＰ）、多元接続性、または他のスキームを通じて、複数の基地局１０５と通信するように構成され得る。ＭＩＭＯ技法は、複数のデータストリームを送信するために、基地局１０５上の複数のアンテナおよび／またはＵＥ１１５上の複数のアンテナを使用する。
【００３１】
[0036]図２は、ＬＴＥネットワークアーキテクチャにおけるアクセスネットワーク２００の例を例示する図である。この例では、アクセスネットワーク２００は、多数のセルラ領域（セル）２０２に分割される。マクロ基地局２０４よりも低い電力クラスの１つまたは複数のスモールセル基地局２０８。スモールセル基地局２０８は、セル２０２のうちの１つまたは複数と重複するセルラ領域２１０を有し得る。スモールセル基地局２０８は、フェムトセル（たとえば、ホームｅＮＢ（ＨｅＮＢ））、ピコセル、マイクロセル、またはリモート無線ヘッド（ＲＲＨ）であり得る。マクロ基地局２０４は各々、それぞれのセル２０２に割り当てられ、セル２０２中のすべてのＵＥ２０６に対してコアネットワーク１３０へのアクセスポイントを提供するように構成される。説明したように、ＵＥ２０６は、Ｖ２Ｘまたは他のメッセージベースの通信技術を使用して通信する車両ベースのＵＥであり得る。
【００３２】
[0037]ある態様では、１つまたは複数のＵＥ２０６は、１つまたは複数のＵＥ２０６への（または、それによる）リソースの割振りを容易にするために、少なくとも、ＵＥにおけるバッファ中のメッセージの数および／またはメッセージのサイズを示すＢＳＲを生成するように構成された通信構成要素３６１（たとえば、図４参照）を含み得る。同様に、１つまたは複数の基地局２０４／２０８は、１つまたは複数のＵＥ２０６からＢＳＲを受信し、ＵＥ２０６によってメッセージのうちの１つまたは複数を送信するためのリソースを、このＢＳＲにおいて示されるメッセージのサイズに少なくとも部分的に基づいて相応にスケジューリングするように構成されたスケジューリング構成要素３０２（たとえば、図４参照）を含み得る。アクセスネットワーク２００のこの例には集中型（centralized）コントローラは存在しないが、代替的な構成では、集中型コントローラが使用され得る。基地局２０４は、無線ベアラ制御、アドミッション制御、モビリティ制御、スケジューリング、セキュリティ、およびコアネットワーク１３０の１つまたは複数の構成要素への接続性を含む、すべての無線関連機能を担う。
【００３３】
[0038]アクセスネットワーク２００によって用いられる変調および多元接続スキームは、展開されている特定の電気通信規格によって異なり得る。ＬＴＥアプリケーションでは、周波数分割複信（ＦＤＤ）および時分割複信（ＴＤＤ）の両方をサポートするために、ＤＬ上ではＯＦＤＭが使用され得、ＵＬ上ではＳＣ−ＦＤＭＡが使用され得る。後に続く詳細な説明から当業者が容易に認識することになるように、本明細書に提示される様々な概念はＬＴＥアプリケーションによく適している。しかしながら、これらの概念は、他の変調および多元接続技法を用いる他の電気通信規格に容易に拡張され得る。例として、これらの概念は、進化型データ最適化（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局へのブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、ならびにＯＦＤＭＡを用いるフラッシュＯＦＤＭ、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、およびＩＥＥＥ８０２．２０に拡張され得る。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。用いられる実際のワイヤレス通信規格および多元接続技術は、特定の用途と、システムに課せられる全体的な設計制約とに依存するであろう。
【００３４】
[0039]基地局２０４は、ＭＩＭＯ技術をサポートする複数のアンテナを有し得る。ＭＩＭＯ技術の使用により、基地局２０４は、空間ドメインを活用して、空間多重化、ビームフォーミング、および送信ダイバーシティをサポートすることが可能になる。空間多重化は、異なるデータストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通じて空間的にプリコードされた各ストリームを送信することによって達成される。空間的にプリコードされたデータストリームは、異なる空間シグナチャを伴ってＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコードされたデータストリームを送信し、これにより、基地局２０４は、空間的にプリコードされた各データストリームのソースを識別することが可能になる。
【００３５】
[0040]空間多重化は一般に、チャネル状態が良好であるときに使用される。チャネル状態があまり好適でないとき、送信エネルギーを１つまたは複数の方向に集中させるためにビームフォーミングが使用され得る。これは、複数のアンテナを通じて送信するためのデータを空間的にプリコードすることによって達成され得る。セルのエッジにおいて良好なカバレッジを達成するために、単一ストリームビームフォーミング送信が、送信ダイバーシティと組み合わせて使用され得る。
【００３６】
[0041]後に続く詳細な説明では、アクセスネットワークの様々な態様が、ＤＬ上でＯＦＤＭをサポートするＭＩＭＯシステムに関連して説明されるであろう。ＯＦＤＭは、ＯＦＤＭシンボル内の多数のサブキャリアを通してデータを変調するスペクトル拡散技法である。サブキャリアは精密な周波数で離間されている。この離間は、受信機がサブキャリアからデータを復元することを可能にする「直交性」を提供する。時間ドメインでは、ＯＦＤＭシンボル間干渉に対処するために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形式で使用し得る。
【００３７】
[0042]図３は、アクセスネットワークにおいてＵＥ３５０と通信状態にある基地局３１０のブロック図である。ＤＬでは、コアネットワークからの上位レイヤパケットが、コントローラ／プロセッサ３７５に提供される。コントローラ／プロセッサ３７５は、Ｌ２レイヤの機能性を実施する。ＤＬでは、コントローラ／プロセッサ３７５は、ヘッダ圧縮、暗号化、パケットのセグメント化および並び替え、論理チャネルとトランスポートチャネルとの間での多重化、および様々な優先度メトリックに基づいたＵＥ３５０への無線リソース割振りを提供する。コントローラ／プロセッサ３７５はまた、ＨＡＲＱ動作、損失パケットの再送、およびＵＥ３５０へのシグナリングを担う。
【００３８】
[0043]送信（ＴＸ）プロセッサ３１６は、Ｌ１レイヤ（すなわち、物理レイヤ）のための様々な信号処理機能を実施する。信号処理機能は、ＵＥ３５０において前方誤り訂正（ＦＥＣ）を容易にするためにコーディングおよびインターリーブすることと、様々な変調スキーム（たとえば、二位相偏移変調（ＢＰＳＫ）、直交位相偏移変調（ＱＰＳＫ）、Ｍ相位偏移変調（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、並行した複数のストリームへと分かれ得る。次いで、各ストリームは、ＯＦＤＭサブキャリアにマッピングされ、時間ドメインおよび／または周波数ドメインにおいて基準信号（たとえば、パイロット）と多重化され、次いで、逆高速フーリエ変換（ＩＦＦＴ）を使用して互いに組み合わせられて、時間ドメインのＯＦＤＭシンボルストリームを搬送する物理チャネルが生成される。ＯＦＤＭストリームは、多数の空間ストリームを生成するために空間的にプリコーディングされる。チャネル推定器３７４からのチャネル推定値が、コーディングおよび変調スキームを決定するために、および、空間処理のために使用され得る。チャネル推定値は、ＵＥ３５０によって送信されたチャネル条件フィードバックおよび／または基準信号から導出され得る。次いで、各空間ストリームが、別個の送信機３１８ＴＸを介して異なるアンテナ３２０に提供される。各送信機３１８ＴＸは、送信のために、それぞれの空間ストリームを用いてＲＦキャリアを変調する。加えて、基地局３１０は、１つまたは複数のＵＥ３５０からＢＳＲを受信し、メッセージのうちの１つまたは複数を送信するためのリソースを、このＢＳＲにおいて示されるメッセージのサイズに少なくとも部分的に基づいて相応にスケジューリングするように構成されたスケジューリング構成要素３０２（たとえば、図４参照）を含み得る。スケジューリング構成要素３０２は、コントローラ／プロセッサ３７５に結合して示されているが、スケジューリング構成要素３０２が、本明細書で説明されたアクションを実行するために、他のプロセッサ（たとえば、ＲＸプロセッサ３７０、ＴＸプロセッサ３１６、等）にも結合され得ることおよび／または１つまたは複数のプロセッサ３１６、３７０、３７５によって実施され得ることは認識されるべきである。
【００３９】
[0044]ＵＥ３５０において、各受信機３５４ＲＸは、それのそれぞれのアンテナ３５２を通じて信号を受信する。各受信機３５４ＲＸは、ＲＦキャリア上に変調された情報を復元し、この情報を受信（ＲＸ）プロセッサ３５６に提供する。ＲＸプロセッサ３５６は、Ｌ１レイヤの様々な信号処理機能を実施する。ＲＸプロセッサ３５６は、ＵＥ３５０に宛てられた任意の空間ストリームを復元するために、この情報に対して空間処理を実行する。多数の空間ストリームがＵＥ３５０に宛てられている場合、それらは、ＲＸプロセッサ３５６によって、単一のＯＦＤＭシンボルストリームへと組み合わせられ得る。次いで、ＲＸプロセッサ３５６は、高速フーリエ変換（ＦＦＴ）を使用して、ＯＦＤＭシンボルストリームを時間ドメインから周波数ドメインに変換する。周波数ドメインの信号は、ＯＦＤＭ信号のサブキャリアごとに別個のＯＦＤＭシンボルストリームを備える。各サブキャリア上のシンボル、および基準信号は、基地局３１０によって送信された最も可能性が高い信号コンステレーションポイントを決定することで、復元および復調される。これらの軟判定は、チャネル推定器３５８によって計算されたチャネル推定値に基づき得る。次いで、これらの軟判定は、復号およびデインターリーブされて、物理チャネル上で基地局３１０によって当初送信されたデータおよび制御信号が復元される。次いで、これらデータおよび制御信号が、コントローラ／プロセッサ３５９に提供される。
【００４０】
[0045]コントローラ／プロセッサ３５９はＬ２レイヤを実施する。コントローラ／プロセッサは、プログラムコードおよびデータを記憶するメモリ３６０に関連付けられ得る。メモリ３６０は、コンピュータ読取可能な媒体とも呼ばれ得る。ＵＬでは、コントローラ／プロセッサ３５９は、トランスポートチャネルと論理チャネルとの間での逆多重化、パケットのリアセンブリ、暗号解読、ヘッダ圧縮解除、制御信号処理を提供して、コアネットワークからの上位レイヤパケットを復元する。次いで、Ｌ２レイヤより上位のすべてのプロトコルレイヤを表す上位レイヤパケットは、データシンク３６２に提供される。様々な制御信号もまた、Ｌ３処理のために、データシンク３６２に提供され得る。コントローラ／プロセッサ３５９はまた、ＨＡＲＱ動作をサポートするために、肯定応答（ＡＣＫ）および／または否定応答（ＮＡＣＫ）プロトコルを使用した誤り検出を担う。加えて、ＵＥ３５０は、１つまたは複数のＵＥ３５０へのリソースの割振りを容易にするために、少なくとも、メッセージの数および／またはメッセージのサイズを示すＢＳＲを生成するように構成された通信構成要素３６１（たとえば、図４参照）を含み得る。通信構成要素３６１は、コントローラ／プロセッサ３５９に結合して示されているが、通信構成要素３６１が、本明細書で説明されたアクションを実行するために、他のプロセッサ（たとえば、ＲＸプロセッサ３５６、ＴＸプロセッサ３６８、等）にも結合され得ることおよび／または１つまたは複数のプロセッサ３５６、３５９、３６８によって実施され得ることは認識されるべきである。
【００４１】
[0046]ＵＬでは、データソース３６７が、コントローラ／プロセッサ３５９に上位レイヤパケットを提供するために使用される。データソース３６７は、Ｌ２レイヤより上位のすべてのプロトコルレイヤを表す。基地局３１０によるＤＬ送信に関連して説明された機能性と同様に、コントローラ／プロセッサ３５９は、ヘッダの圧縮、暗号化、パケットのセグメント化および並び替え、基地局３１０による無線リソースの割振りに基づいた論理チャネルとトランスポートチャネルとの間での多重化を提供することで、ユーザプレーンおよび制御プレーンのためのＬ２レイヤを実施する。コントローラ／プロセッサ３５９はまた、ＨＡＲＱ動作、損失パケットの再送、および基地局３１０へのシグナリングを担う。
【００４２】
[0047]基地局３１０によって送信されたフィードバックまたは基準信号からチャネル推定器３５８によって導出されたチャネル推定値は、適当なコーディングおよび変調スキームを選択するためにおよび空間処理を容易にするために、ＴＸプロセッサ３６８によって使用され得る。ＴＸプロセッサ３６８によって生成される空間ストリームは、別個の送信機３５４ＴＸを介して異なるアンテナ３５２に提供される。各送信機３５４ＴＸは、送信のために、それぞれの空間ストリームを用いてＲＦキャリアを変調する。
【００４３】
[0048]ＵＬ送信は、ＵＥ３５０における受信機機能に関連して説明されたものと同様の方法で、基地局３１０において処理される。各受信機３１８ＲＸは、それのそれぞれのアンテナ３２０を通じて信号を受信する。各受信機３１８ＲＸは、ＲＦキャリア上に変調された情報を復元し、この情報をＲＸプロセッサ３７０に提供する。ＲＸプロセッサ３７０は、Ｌ１レイヤを実施し得る。
【００４４】
[0049]コントローラ／プロセッサ３７５は、Ｌ２レイヤを実施する。コントローラ／プロセッサ３７５は、プログラムコードおよびデータを記憶するメモリ３７６に関連付けられ得る。メモリ３７６は、コンピュータ読取可能な媒体とも呼ばれ得る。ＵＬでは、コントローラ／プロセッサ３７５は、トランスポートチャネルと論理チャネルとの間での逆多重化、パケットのリアセンブリ、暗号解読、ヘッダの圧縮解除、制御信号処理を提供して、ＵＥ３５０からの上位レイヤパケットを復元する。コントローラ／プロセッサ３７５からの上位レイヤのパケットは、コアネットワークに提供され得る。コントローラ／プロセッサ３７５はまた、ＨＡＲＱ動作をサポートするために、ＡＣＫおよび／またはＮＡＣＫプロトコルを使用した誤り検出を担う。
【００４５】
[0050]図４−６に関して、本明細書で説明されるアクションまたは機能を実行し得る１つまたは複数の構成要素および１つまたは複数の方法に関連して複数の態様が描かれる。ある態様では、本明細書で使用される場合、「構成要素」という用語は、システムを構成する複数の部分のうちの１つであり得、ハードウェアまたはソフトウェアあるいはこれらの何らかの組み合わせであり得、他の構成要素に分割され得る。以下の図５および６において説明される動作は、特定の順序でおよび／または例となる構成要素によって実行されるものとして提示されるが、アクションの順序とアクションを実行する構成要素とは、実施により異なり得ることは理解されるべきである。さらに、以下のアクションまたは機能が、特別にプログラムされたプロセッサ、特別にプログラムされたソフトウェアを実行するプロセッサ、またはコンピュータ読取可能な媒体によって、あるいは、説明されるアクションまたは機能を実行することができるハードウェア構成要素および／またはソフトウェア構成要素の任意の他の組み合わせによって実行され得ることは理解されるべきである。
【００４６】
[0051]図４は、ワイヤレス通信においてＢＳＲを通信するための例となるシステム４００を例示する。システム４００は、メッセージベースの通信（たとえば、Ｖ２Ｘ通信）を使用して別のＵＥ（図示されない）と通信するためのリソースの割振りを受信するために、基地局４０４（たとえば、図１の基地局１０５、図２の基地局２０４、図３の基地局３１０）と通信するＵＥ４０２（たとえば、図１のＵＥ１１５、図２のＵＥ２０６、図３のＵＥ３５０）を含む。ある例では、基地局４０４およびＵＥ４０２は、構成された通信リソースを通して基地局４０４からＵＥ４０２に（たとえば、シグナリングにおいて）制御および／またはデータメッセージを通信するために、（たとえば、トランシーバシーバ４５６を介して）基地局４０４によって送信され、（たとえば、トランシーバシーバ４０６を介して）ＵＥ４０２によって受信されることができる、ダウンリンク通信４０８を通信するための１つまたは複数のダウンリンクチャネルを確立しているであろう。さらに、たとえば、基地局４０４およびＵＥ４０２は、構成された通信リソースを通してＵＥ４０２から基地局４０４に（たとえば、シグナリングにおいて）制御および／またはデータメッセージを通信するために、（たとえば、トランシーバ４０６を介して）ＵＥ４０２によって送信され、（たとえば、トランシーバ４５６を介して）基地局４０４によって受信されることができる、アップリンク信号４０８を介して通信するための１つまたは複数のアップリンクチャネルを確立しているであろう。ある例では、通信構成要素３６１は、基地局４０４によるリソース割振りを容易にするために、説明したように、ＢＳＲ４８０を生成および送信することができる。ある例では、ＢＳＲ４８０に示されたメッセージサイズ、タイプ、等に基づいて、ＵＥ４０２がメッセージ全体を通信することを可能にするために、ＵＥがリソースを許可するか他の方法でＵＥ４０２とリソースをネゴシエートすることを可能にするために、基地局４０４がＵＥを含み得るか、ＵＥ４０２と直接通信するＵＥが、基地局４０４に関連して以下で説明される１つまたは複数の構成要素を含み得る。
【００４７】
[0052]ある態様では、ＵＥ４０２は、たとえば、１つまたは複数のバス４０７を介して通信可能に結合され得る１つまたは複数のプロセッサ４０３および／またはメモリ４０５を含み得、これら１つまたは複数のプロセッサ４０３および／またはメモリ４０５は、メッセージを通信するための、基地局からのリソースの割振りを容易にするために、複数のメッセージについての少なくともサイズを示すＢＳＲを、生成するおよび／または（たとえば、トランシーバ４０６と連携して）１つまたは複数の基地局に送信するための通信構成要素３６１と連携して動作するか他の方法でそれを実施し得る。たとえば、本明細書で説明される通信構成要素３６１に関する様々な動作は、１つまたは複数のプロセッサ４０３によって、実施されるか他の方法で実行され得、ある態様では、単一のプロセッサによって実行されることができるが、他の態様では、これらの動作のうちの異なる動作（different ones）は、２つ以上の異なるプロセッサの組み合わせによって実行され得る。たとえば、ある態様では、１つまたは複数のプロセッサ４０３は、モデムプロセッサか、ベースバンドプロセッサか、デジタルシグナルプロセッサか、特定用途向け集積回路（ＡＳＩＣ）か、トランシーバ４０６に関連付けられた送信プロセッサ、受信プロセッサ、またはトランシーバプロセッサかのうちの任意の１つまたは任意の組み合わせを含み得る。さらに、たとえば、メモリ４０５は、ランダムアクセスメモリ（ＲＡＭ）、読取専用メモリ（ＲＯＭ），プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、磁気記憶デバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバルディスク、およびコンピュータまたは１つまたは複数のプロセッサ４０３によってアクセスされるおよび読み取られるソフトウェアおよび／またはコンピュータ読取可能なコードまたは命令を記憶するための任意の他の適切な媒体を含むがそれらに限定されない非一時的なコンピュータ読取可能な媒体であり得る。さらに、メモリ４０５またはコンピュータ読取可能な記憶媒体は、１つまたは複数のプロセッサ４０３内に存在するか、１つまたは複数のプロセッサ４０３に外付けであり得るか、１つまたは複数のプロセッサ４０３を含む複数のエンティティにわたって分散され得るか、等であり得る。
【００４８】
[0053]具体的には、１つまたは複数のプロセッサ４０３および／またはメモリ４０５は、通信構成要素３６１またはそのサブ構成要素によって定義されたアクションまたは動作を実行し得る。加えて、たとえば、通信構成要素３６１は、１つまたは複数の他のＵＥに通信するための複数のメッセージ（たとえば、メッセージ１、メッセージ２、等）を含む１つまたは複数のバッファ４１０を含み得る。バッファ４１０は、たとえば、メモリ４０５によって記憶され、バス４０７を介して、プロセッサ４０３、トランシーバ４０６、等によってアクセス可能であり得る。さらに、たとえば、１つまたは複数のプロセッサ４０３および／またはメモリ４０５は、たとえば、バッファ４１０中の複数のメッセージの各々のサイズ、バッファ４１０中のメッセージの数、バッファ４１０中のメッセージのタイプ、バッファ４１０中のメッセージについてのターゲットレンジ、伝送電力、優先度、レイテンシ、等、および／または同様のものを示すことを含み得る、バッファ４１０のステータスを提供するＢＳＲを生成するための、ＢＳＲ生成構成要素４１２によって定義されたアクションまたは動作を実行し得る。ある態様では、たとえば、ＢＳＲ生成構成要素４１２は、ハードウェア（たとえば、１つまたは複数のプロセッサ４０３の１つまたは複数のプロセッサモジュール）および／またはメモリ４０５に記憶され、かつ、本明細書で説明される特別に構成されたＢＳＲ生成動作を実行するように１つまたは複数のプロセッサ４０３のうちの少なくとも１つによって実行可能なコンピュータ読取可能なコードまたは命令を含み得る。
【００４９】
[0054]ある態様では、１つまたは複数のプロセッサ４０３および／またはメモリ４０５は、オプションで、バッファ４１０中の複数のメッセージの各々のサイズを決定するためおよび／または示すための、メッセージサイズ指示構成要素４１４によって定義されたアクションまたは動作を実行し得る。ある態様では、たとえば、メッセージサイズ指示構成要素４１４は、ハードウェア（たとえば、１つまたは複数のプロセッサ４０３の１つまたは複数のプロセッサモジュール）および／またはメモリ４０５に記憶され、かつ、本明細書で説明される特別に構成されたメッセージサイズ指示動作を実行するように１つまたは複数のプロセッサ４０３のうちの少なくとも１つによって実行可能なコンピュータ読取可能なコードまたは命令を含み得る。ある態様では、１つまたは複数のプロセッサ４０３および／またはメモリ４０５は、オプションで、バッファ４１０中の複数のメッセージの各々のタイプを決定するためおよび／または示すための、メッセージタイプ指示構成要素４１６によって定義されたアクションまたは動作を実行し得る。ある態様では、たとえば、メッセージタイプ指示構成要素４１６は、ハードウェア（たとえば、１つまたは複数のプロセッサ４０３の１つまたは複数のプロセッサモジュール）および／またはメモリ４０５に記憶され、かつ、本明細書で説明される特別に構成されたメッセージタイプ指示動作を実行するように１つまたは複数のプロセッサ４０３のうちの少なくとも１つによって実行可能なコンピュータ読取可能なコードまたは命令を含み得る。
【００５０】
[0055]同様に、ある態様では、基地局４０４は、たとえば、１つまたは複数のバス４５７を介して通信可能に結合され得る１つまたは複数のプロセッサ４５３および／またはメモリ４５５を含み得、これら１つまたは複数のプロセッサ４５３および／またはメモリ４５５は、ＵＥ４０２から１つまたは複数の他のＵＥに通信するための複数のメッセージについての少なくともサイズを示すＢＳＲに基づいて１つまたは複数のＵＥのためにリソースを割り振るためのスケジューリング構成要素３０２と連携して動作するか他の方法でそれを実施し得る。たとえば、スケジューリング構成要素３０２に関する様々な機能は、１つまたは複数のプロセッサ４５３によって、実施されるか他の方法で実行され得、ある態様では、単一のプロセッサによって実行されることができるが、他の態様では、これら機能のうちの異なる機能は、上で説明したように、２つ以上の異なるプロセッサの組み合わせによって実行され得る。一例では、１つまたは複数のプロセッサ４５３および／またはメモリ４５５が、ＵＥ４０２の１つまたは複数のプロセッサ４０３および／またはメモリ４０５に関連して上の例で説明したように構成され得ることは認識されるべきである。
【００５１】
[0056]ある例では、１つまたは複数のプロセッサ４５３および／またはメモリ４５５は、スケジューリング構成要素３０２またはそのサブ構成要素によって定義されたアクションまたは動作を実行し得る。たとえば、１つまたは複数のプロセッサ４５３および／またはメモリ４５５は、１つまたは複数のＵＥのバッファ中の１つまたは複数のメッセージのサイズおよび／または他のパラメータを決定するために１つまたは複数のＵＥから受信された１つまたは複数のＢＳＲを処理するための、ＢＳＲ処理構成要素４３０によって定義されたアクションまたは動作を実行し得る。ある態様では、たとえば、ＢＳＲ処理構成要素４３０は、ハードウェア（たとえば、１つまたは複数のプロセッサ４５３の１つまたは複数のプロセッサモジュール）および／またはメモリ４５５に記憶され、かつ、本明細書で説明される特別に構成されたＢＳＲ処理動作を実行するように１つまたは複数のプロセッサ４５３のうちの少なくとも１つによって実行可能なコンピュータ読取可能なコードまたは命令を含み得る。さらに、たとえば、１つまたは複数のプロセッサ４５３および／またはメモリ４５５は、１つまたは複数のメッセージのサイズおよび／または他のパラメータに少なくとも部分的に基づいて、１つまたは複数のメッセージを送信するためのリソースを１つまたは複数のＵＥに割り振るための、リソース割振り構成要素４３２によって定義されたアクションまたは動作を実行し得る。ある態様では、たとえば、リソース割振り構成要素４３２は、ハードウェア（たとえば、１つまたは複数のプロセッサ４５３の１つまたは複数のプロセッサモジュール）および／またはメモリ４５５に記憶され、かつ、本明細書で説明される特別に構成されたリソース割振り動作を実行するように１つまたは複数のプロセッサ４５３のうちの少なくとも１つによって実行可能なコンピュータ読取可能なコードまたは命令を含み得る。
【００５２】
[0057]さらに、たとえば、１つまたは複数のプロセッサ４５３および／またはメモリ４５５は、オプションで、ＢＳＲに基づいて１つまたは複数のメッセージのサイズを決定するための、メッセージサイズ決定構成要素４３４によって定義されたアクションまたは動作を実行し得る。ある態様では、たとえば、メッセージサイズ決定構成要素４３４は、ハードウェア（たとえば、１つまたは複数のプロセッサ４５３の１つまたは複数のプロセッサモジュール）および／またはメモリ４５５に記憶され、かつ、本明細書で説明される特別に構成されたメッセージサイズ決定動作を実行するように１つまたは複数のプロセッサ４５３のうちの少なくとも１つによって実行可能なコンピュータ読取可能なコードまたは命令を含み得る。さらに、たとえば、１つまたは複数のプロセッサ４５３および／またはメモリ４５５は、オプションで、ＢＳＲに基づいて１つまたは複数のメッセージのタイプを決定するための、メッセージタイプ決定構成要素４３６によって定義されたアクションまたは動作を実行し得る。ある態様では、たとえば、メッセージタイプ決定構成要素４３６は、ハードウェア（たとえば、１つまたは複数のプロセッサ４５３の１つまたは複数のプロセッサモジュール）および／またはメモリ４５５に記憶され、かつ、本明細書で説明される特別に構成されたメッセージタイプ決定動作を実行するように１つまたは複数のプロセッサ４５３のうちの少なくとも１つによって実行可能なコンピュータ読取可能なコードまたは命令を含み得る。
【００５３】
[0058]トランシーバ４０６、４５６が、１つまたは複数のアンテナ、ＲＦフロントエンド、１つまたは複数の送信機、および１つまたは複数の受信機を通じてワイヤレス信号を送信および受信するように構成され得ることは認識されるべきである。ある態様では、トランシーバ４０６、４５６は、ＵＥ４０２および／または基地局４０４が特定の周波数で通信することができるように、指定の周波数で動作するように調整され得る。ある態様では、１つまたは複数のＣＣ上で関連アップリンクまたはダウンリンク通信チャネルを通してアップリンク信号および／またはダウンリンク信号を通信するために、構成、通信プロトコル、等に基づいて、指定の周波数および電力レベルで動作するように、１つまたは複数のプロセッサ４０３は、トランシーバ４０６を構成し得、および／または、１つまたは複数のプロセッサ４５３は、トランシーバ４５６を構成し得る。
【００５４】
[0059]ある態様では、トランシーバ４０６、４５６は、たとえば、トランシーバ４０６、４５６を使用して送られるおよび受信されるデジタルデータを処理するために、（たとえば、示されない、マルチバンド−マルチモードモデムを使用して）複数の帯域において動作することができる。ある態様では、トランシーバ４０６、４５６は、マルチバンドであり得、特定の通信プロトコルのために複数の周波数帯域をサポートするように構成され得る。ある態様では、トランシーバ４０６、４５６は、複数の動作ネットワークおよび通信プロトコルをサポートするように構成され得る。ゆえに、たとえば、トランシーバ４０６、４５６は、指定のモデム構成に基づいて信号の送信および／または受信を可能にし得る。
【００５５】
[0060]ある態様では、説明したように、ＵＥ４０２がＶ２Ｘを使用して通信する場合、たとえば、バッファ４１０中のメッセージ（たとえば、メッセージ１、メッセージ２、および／または示されない他のメッセージ）は、たとえば、ＵＥ４０２に関する車両の前方衝突警告、周期的ステータスレポート、等のような、Ｖ２Ｘ通信のために定義されている安全メッセージに関し得る。ゆえに、たとえば、基地局４０４は、（たとえば、車両内のまたは歩行者が持つ）１つまたは複数の他のＵＥ、ネットワークストラクチャにおける他のノードに、等（図示されない）にメッセージを（たとえば、そっくりそのまま単一の送信で）通信するためのリソースをＵＥ４０２に割振り得る。
【００５６】
[0061]図５は、ＵＥのバッファに記憶された複数のメッセージの各々の少なくともサイズを示すＢＳＲを（たとえば、ＵＥによって）通信するための例となる方法５００を例示する。方法５００は、ブロック５０２において、デバイスから１つまたは複数の他のデバイスに通信するための、デバイスのバッファに記憶された複数のメッセージの各々のサイズを示すＢＳＲを生成することを含む。ある態様では、ＢＳＲ生成構成要素４１２（図４）は、たとえば、プロセッサ４０３、メモリ４０５、および／またはトランシーバ４０６と連携して、バッファ４１０に記憶された複数のメッセージ（たとえば、メッセージ１、メッセージ２、および／または示されない追加のメッセージ）の各々のサイズを示すＢＳＲを生成することができる。たとえば、メッセージサイズ指示構成要素４１４は、バッファ４１０中の複数のメッセージの少なくとも一部のサイズを決定することができる。たとえば、各メッセージは、メッセージが存在するメモリ４０５中のロケーションを分析すること（たとえば、メッセージによって利用されるメモリ４０５中のバイト数を決定すること）等に基づいて決定可能な、関連パラメータ中に示す関連する長さを有し得る。いずれのケースにおいても、ＢＳＲ生成構成要素４１２は、バッファ４１０に記憶されたメッセージの少なくとも一部のサイズを示すためにＢＳＲを生成することができる。一例では、ＢＳＲ生成構成要素４１２は、（たとえば、バイト数として）メッセージサイズのリストを含むようにＢＳＲを生成することができる。この例では、リスト中のメッセージサイズの数はまた、バッファ４１０中のメッセージの数を暗示的に示し得る（たとえば、ここでは、ＢＳＲを受信するエンティティは、ＢＳＲによって示されるリスト中のメッセージサイズの数を決定することに基づいてメッセージの数を決定することができる）。さらに別の例では、ＢＳＲ生成構成要素４１２は、（たとえば、ＢＳＲにおいて定義されるパラメータとして）バッファ４１０中のメッセージの数を明示的に示すためにＢＳＲを生成することができる。さらに、たとえば、メッセージサイズのリストは、バッファ４１０中のメッセージに関する優先度を暗示的に示すことができる（たとえば、最も高い優先度を有するメッセージのサイズは、ＢＳＲにおいて示されるメッセージサイズのリストにおいて第１のメッセージサイズとしてリストされることができる）。
【００５７】
[0062]ある例では、ブロック５０２においてＢＳＲを生成することは、オプションで、ブロック５０４において、バッファに記憶された複数のメッセージの各々のメッセージタイプを示すＢＳＲを生成することを含むことができる。ある態様では、ＢＳＲ生成構成要素４１２は、たとえば、プロセッサ４０３、メモリ４０５、および／またはトランシーバ４０６と連携して、バッファ４１０に記憶される複数のメッセージの各々のメッセージタイプを示すＢＳＲを生成することができる。たとえば、メッセージタイプ指示構成要素４１６は、複数のメッセージの各々についてのメッセージタイプを決定することができ、ＢＳＲ生成構成要素４１２は、このメッセージタイプを（たとえば、ＢＳＲにおいて示される１つまたは複数のパラメータとして）ＢＳＲに含めることができる。
【００５８】
[0063]ある例では、メッセージタイプ指示構成要素４１６は、メッセージ中の情報（たとえば、アプリケーションレイヤのプロトコルに基づいてメッセージの１つまたは複数のヘッダにおいて指定されたタイプおよび／または同様のもの）に少なくとも部分的に基づいてメッセージタイプを決定し得る。メッセージタイプ（たとえば、Ｖ２Ｘ通信におけるサービスタイプ）は、複数のメッセージの各々が、（前方衝突警告のような）衝突警告であるか、（たとえば、ビークルヘルス、運転統計値、等に関する１つまたは複数のパラメータの）周期的ステータスレポートであるか、Ｖ２Ｘ通信における他のサービスタイプであるかを示し得る。別の例では、メッセージタイプ指示構成要素４１６は、（たとえば、ＵＥ４０２において記憶された、ネットワーク構成において基地局４０４から受信される、等である構成で示されたように優先度にメッセージタイプをマッピングすることに基づいて、メッセージにおいて示される優先度に基づいて、および／または同様のものにより）メッセージタイプに関する優先度を決定し得る。ゆえに、ある例では、メッセージタイプは、追加的または代替的に、１つまたは複数のメッセージについての優先度を示すまたは決定するために使用され得る。いずれのケースにおいても、たとえば、メッセージを通信するためのリソース割振りは、本明細書でさらに説明されるように、優先度に基づいて決定され得る。
【００５９】
[0064]加えて、たとえば、ブロック５０４においてメッセージタイプを示すＢＳＲを生成することは、オプションで、ブロック５０６において、複数のメッセージの各々（または、少なくとも一部）のメッセージタイプを示すための論理チャネルグループ識別子（ＬＣＧＩＤ）を選択することと、このＬＣＧＩＤをＢＳＲに含めることとを含み得る。ある態様では、メッセージタイプ指示構成要素４１６は、たとえば、プロセッサ４０３、メモリ４０５、および／またはトランシーバ４０６と連携して、複数のメッセージの各々のメッセージタイプを示すためのＬＣＧＩＤを選択することができ、このＬＣＧＩＤをＢＳＲに含めることができる。この例では、メッセージタイプ指示構成要素４１６は、メッセージタイプへのＬＣＧＩＤのマッピングを受信し得、これは、ＵＥ４０２において構成に記憶され、ネットワーク構成において基地局４０４から受信され、等であり得る。一例では、ＵＥ４０２は、基地局４０４にマッピングを送信することができる。いずれのケースにおいても、メッセージタイプ指示構成要素４１６は、複数のメッセージの各々のタイプを示すためのＬＣＧＩＤをマッピングに基づいて選択し、このＬＣＧＩＤをＢＳＲに含め得る。
【００６０】
[0065]別の例では、ブロック５０２においてＢＳＲを生成することは、オプションで、ブロック５０８において、バッファに記憶された複数のメッセージの各々についてのターゲットレンジ、伝送電力、優先度、および／またはレイテンシを示すＢＳＲを生成することを含み得る。ある態様では、ＢＳＲ生成構成要素４１２は、たとえば、プロセッサ４０３、メモリ４０５、および／またはトランシーバ４０６と連携して、複数のメッセージの各々についてのターゲットレンジ、ターゲット伝送電力、ターゲット優先度、および／またはターゲットレイテンシを示すＢＳＲを生成することができる。この情報は、本明細書でさらに説明されるように、ＵＥ４０２が複数のメッセージのうちの１つまたは複数を別のＵＥに送信するためのリソース割振りを生成するために使用され得る（たとえば、追加のリソースが、より高い要求された範囲、電力、優先度、等、より低いレイテンシ、および／または同様のもののために許可され得る）。
【００６１】
[0066]方法５００はまた、ブロック５１０において、複数のメッセージのうちの１つまたは複数を１つまたは複数の他のデバイスに通信するためのリソースを要求するためにＢＳＲを基地局に送信することを含み得る。ある態様では、通信構成要素３６１は、たとえば、プロセッサ４０３、メモリ４０５、および／またはトランシーバ４０６と連携して、複数のメッセージのうちの１つまたは複数を１つまたは複数の他のデバイスに通信するためのリソースを要求するために、ＢＳＲ４８０を基地局４０４に送信することができ、ここで、ＢＳＲは、説明したように、複数のメッセージのサイズ、複数のメッセージの少なくとも一部のメッセージタイプ、等を示し得る。ある例では、基地局４０４は、ＢＳＲに基づいて、ＵＥ４０２がバッファ４１０中の１つまたは複数のメッセージを通信するためのリソース割振りを決定し得る。したがって、方法５００はまた、オプションで、ブロック５１２において、ＢＳＲに少なくとも部分的に基づいて、複数のメッセージのうちの１つまたは複数を１つまたは複数の他のデバイスに通信するためのリソース割振りを基地局から受信することを含み得る。ある態様では、通信構成要素３６１は、たとえば、プロセッサ４０３、メモリ４０５、および／またはトランシーバ４０６と連携して、ＢＳＲに少なくとも部分的に基づいて、複数のメッセージのうちの１つまたは複数を１つまたは複数の他のデバイス（たとえば、他のＵＥ）に通信するためのリソース割振りを基地局４０４から受信することができる。リソース割振りは、ＢＳＲ４８０において示される１つまたは複数のメッセージの各々のメッセージサイズに基づいて、バッファ４１０中のメッセージのうちの１つまたは複数を送信するのに十分なリソースの量を含み得る。
【００６２】
[0067]方法５００は、オプションで、ブロック５１４において、リソース割振りに基づいて、複数のメッセージのうちの１つまたは複数を１つまたは複数のデバイスに通信することを含み得る。ある態様では、通信構成要素３６１は、たとえば、プロセッサ４０３、メモリ４０５、および／またはトランシーバ４０６と連携して、リソース割振りに基づいて、複数のメッセージのうちの１つまたは複数を１つまたは複数のデバイスに通信することができる。たとえば、１つまたは複数の他のデバイスは、１つまたは複数のＵＥ、ｅＮＢ、別のｅＮＢ、またはワイヤレスネットワークにおける実質上の任意のノードを含み得る。ゆえに、たとえば、複数のメッセージのうちの１つまたは複数を通信することは、１つまたは複数のメッセージを、リソース割振りにおけるリソースを通してサイドリンク通信（たとえば、中間基地局を使用しないデバイス・ツー・デバイス通信）を使用して１つまたは複数のＵＥに、リソース割振りにおけるリソースを通してアップリンク通信を使用して１つまたは複数の基地局に、および／または、同様のものに送信することを含むことができる。
【００６３】
[0068]図６は、ＵＥのバッファに記憶された複数のメッセージの各々の少なくともサイズを示すＢＳＲを通信する（たとえば、ｅＮＢによって受信する）ための例となる方法６００を例示する。方法６００は、ブロック６０２において、デバイスからＢＳＲを受信することを含み、ここにおいて、ＢＳＲは、デバイスから１つまたは複数の他のデバイスに通信するための、デバイスのバッファに記憶された複数のメッセージの各々のサイズを示す。ある態様では、スケジューリング構成要素３０２（図４）は、たとえば、プロセッサ４５３、メモリ４５５、および／またはトランシーバ４５６と連携して、デバイス（たとえば、ＵＥ４０２）からＢＳＲ４８０を受信することができ、ここにおいて、ＢＳＲは、デバイスのバッファ４１０に記憶された複数のメッセージの各々のサイズを示す。たとえば、スケジューリング構成要素３０２は、ＵＥ４０２のために基地局４０４によって割り振られた通信リソース（たとえば、制御データリソース）を通してＵＥ４０２からＢＳＲ４８０を受信し得る。ＵＥ４０２は、これらのリソースを通して（ＢＳＲ４８０のような）制御データを基地局４０４に相応に通信することができる。ＢＳＲは、バッファ４１０中の複数のメッセージの各々のサイズを含み得、これは、基地局４０４が、複数のメッセージのうちの１つまたは複数を１つまたは複数の他のデバイス（図示されない）に通信するためのデータリソースをＵＥ４０２に割り振るのを支援することができる。
【００６４】
[0069]方法６００はまた、ブロック６０４において、デバイスから１つまたは複数のデバイスに通信することを容易にするための、デバイスに対するリソースの割振りを、ＢＳＲにおいて示される複数のメッセージのうちの少なくとも１つのサイズに少なくとも部分的に基づいて決定することを含む。ある態様では、ＢＳＲ処理構成要素４３０は、たとえば、プロセッサ４５３、メモリ４５５、および／またはトランシーバ４５６と連携して、デバイスから１つまたは複数のデバイスに通信することを容易にするための、デバイス（たとえば、ＵＥ４０２）に対するリソースの割振りを、ＢＳＲにおいて示されるような複数のメッセージのうちの少なくとも１つのサイズに少なくとも部分的に基づいて決定することができる。たとえば、メッセージサイズ決定構成要素４３４は、メッセージサイズを決定するためにＢＳＲを処理することに基づいて複数のメッセージのうちの少なくとも１つのサイズを決定することができる。たとえば、メッセージサイズ決定構成要素４３４は、ＢＳＲにおいて示される第１のメッセージについてのメッセージサイズ、ＢＳＲによって（たとえば、ＢＳＲにおいて示される各メッセージサイズに対して明示的に、ＢＳＲにおけるメッセージサイズの順序付けによって暗示的に、等で）示されるような最も高い優先度を有するメッセージを決定することができる。ＢＳＲ処理構成要素４３０は、複数のメッセージのうちの少なくとも１つを送信するためのリソースの割振りを決定する（たとえば、ＢＳＲにおいて示されるように、ビット／バイト数または複数のメッセージのうちの少なくとも１つによって占有されるある数のビット／バイトを送信するための時間／周波数リソースを決定する）ことができる。たとえば、リソースの割振りは、（たとえば、通信リソースを割り振るための基地局４０４の支援を得て）ＵＥ４０２がメッセージのうちの１つまたは複数を（たとえば、そっくりそのまま単一の送信で）１つまたは複数の他のＵＥに直接通信することを可能にするために、デバイス・ツー・デバイス通信（たとえば、Ｖ２Ｘ通信）に関することができる。
【００６５】
[0070]方法６００はまた、ブロック６０６において、デバイスにリソースの割振りを示すインジケーションを送信することを含み得る。ある態様では、リソース割振り構成要素４３２は、たとえば、プロセッサ４５３、メモリ４５５、および／またはトランシーバ４５６と連携して、デバイス（たとえば、ＵＥ４２０）にリソースの割振りを示すインジケーションを送信することができる。たとえば、リソース割振り構成要素４３２は、（たとえば、ダウンリンク制御チャネルを通して）ＵＥ４０２にリソース許可においてインジケーションを送信することができ、これは、ＵＥ４０２が、ＢＳＲによって示されるようなバッファ４１０中の１つまたは複数のメッセージを送信することができる時間および／または周波数リソースを示すインジケーションを含み得る。
【００６６】
[0071]ある例では、ブロック６０２においてデバイスからＢＳＲを受信することは、ブロック６０８において、デバイスから、デバイスのバッファに記憶された複数のメッセージの各々についてのメッセージタイプを示すＢＳＲを受信することを含み得る。ある態様では、スケジューリング構成要素３０２は、たとえば、プロセッサ４５３、メモリ４５５、および／またはトランシーバ４５６と連携して、デバイス（たとえば、ＵＥ４０２）から、デバイスのバッファ（たとえば、バッファ４１０）に記憶された複数のメッセージの各々についてのメッセージタイプを示すＢＳＲ４８０を受信することができる。ゆえに、たとえば、ブロック６０４においてリソースの割振りを決定することは、ブロック６１０において、複数のメッセージのうちの少なくとも１つについてのメッセージタイプに基づいて、デバイスに対するリソースの割振りを決定することを含み得る。ある態様では、ＢＳＲ処理構成要素４３０は、たとえば、プロセッサ４５３、メモリ４５５、および／またはトランシーバ４５６と連携して、複数のメッセージのうちの少なくとも１つについてのメッセージタイプに基づいて、デバイス（たとえば、ＵＥ４０２）に対するリソースの割振りを決定することができる。たとえば、メッセージタイプ決定構成要素４３６は、ＢＳＲを処理することと、複数のメッセージの各々に関連付けられた１つまたは複数のメッセージタイプを決定することとを行うことで、メッセージタイプを決定することができる。たとえば、メッセージタイプは、衝突警告（たとえば、前方衝突警告）、（たとえば、ビークルヘルス、運転統計値、等に関する１つまたは複数のパラメータの）周期的ステータスレポート、等を示し得る。一例では、１つまたは複数のメッセージタイプは、メッセージサイズを暗示的に示し得る。ＢＳＲ処理構成要素４３０は、特定のメッセージタイプを他のメッセージタイプよりも優先し得、ゆえに、メッセージタイプおよび／または対応する優先度に基づいて（たとえば、上で説明したように、示されたまたは暗示された最も高い優先度のタイプを有するメッセージを決定すること、および、示されたメッセージサイズに基づいてメッセージを通信するのに十分なリソース割振りを決定すること、等に基づいて）メッセージのうちの１つまたは複数のためのリソースの割振りを決定し得る。
【００６７】
[0072]特定の例では、説明されるように、ＢＳＲは、メッセージタイプを指定するＬＣＧＩＤを示すことができる。この例では、ブロック６０８において、メッセージタイプを示すＢＳＲを受信することは、ブロック６１２において、ＢＳＲにおいて示されるＬＣＧＩＤに少なくとも部分的に基づいてメッセージタイプを決定することを含み得る。ある態様では、メッセージタイプ決定構成要素４３６は、たとえば、プロセッサ４５３、メモリ４５５、および／またはトランシーバ４５６と連携して、ＢＳＲにおいて示されるＬＣＧＩＤに少なくとも部分的に基づいてメッセージタイプを決定することができる。たとえば、ＬＣＧＩＤは、ＢＳＲを含む制御データの一部として示され得、メッセージタイプへのＬＣＧＩＤのマッピングに少なくとも部分的に基づいてメッセージタイプを示すために使用され得る。説明したように、メッセージタイプ決定構成要素４３６は、記憶された構成から、１つまたは複数のネットワーク構成要素から受信された構成から、ＵＥ４０２から、および／または、同様のものから、メッセージタイプへのＬＣＧＩＤのマッピングを受信し得る。別の例では、メッセージタイプ決定構成要素４３６は、ＵＥ４０２がＬＣＧＩＤを使用してメッセージタイプを示すことを可能にするためにＵＥ４０２にその構成を提供し得る。いずれのケースにおいても、メッセージタイプ決定構成要素４３６は、指定のＬＣＧＩＤに基づいてメッセージタイプを決定するために、このマッピングを利用し得る。
【００６８】
[0073]別の例では、ブロック６０２においてＢＳＲを受信することは、オプションで、ブロック６１４において、複数のメッセージの各々についてのターゲットレンジ、伝送電力、優先度、またはレイテンシを示すＢＳＲをデバイスから受信することを含み得る。ある態様では、スケジューリング構成要素３０２は、プロセッサ４５３、メモリ４５５、および／またはトランシーバ４５６と連携して、複数のメッセージの各々についてのターゲットレンジ、ターゲット伝送電力、ターゲット優先度、またはターゲットレイテンシを示すＢＳＲをデバイス（たとえば、ＵＥ４０２）から受信することができる。したがって、この例では、ブロック６０４またはブロック６１０においてリソースの割振りを決定することは、たとえば、ＢＳＲにおいて示されるような、少なくとも１つメッセージについてのターゲットレンジ、ターゲット伝送電力、ターゲット優先度、ターゲットレイテンシ、等に少なくとも部分的にさらに基づき得る。
【００６９】
[0074]特定の例では、ＢＳＲ処理構成要素４３０は、ターゲットレンジ、ターゲット伝送電力、ターゲット優先度、ターゲットレイテンシ、等に基づいてリソース割振りを提供するための少なくとも１つメッセージを選択し得る。たとえば、ＢＳＲ処理構成要素４３０は、基地局４０４において割り振るのに利用可能なリソースの数と、少なくとも１つメッセージについてのターゲットレンジ、伝送電力、レイテンシ、等を達成するためのリソースの数とに基づいて少なくとも１つメッセージを選択し得る。別の例では、ＢＳＲ処理構成要素４３０は、メッセージタイプ、サイズ、優先度、等に少なくとも部分的に基づいてリソースを割り振るための少なくとも１つメッセージを決定し、次いで、たとえば、関連するターゲットレンジ、ターゲット伝送電力、ターゲットレイテンシ、等を達成するために、メッセージのためのリソース割振りを決定することができる。一例では、ＢＳＲが、複数のメッセージについてのターゲットレンジ、伝送電力、および／またはレイテンシ（たとえば、ＢＳＲにおいて、すべてのメッセージまたはメッセージのグループについての単一のレンジ、電力、レイテンシ、等）を指定し得ることは認識されるべきである。
【００７０】
[0075]方法６００は、オプションで、ブロック６１６において、これらのリソース上でデバイスから１つまたは複数のメッセージを受信することを含み得る。ある態様では、スケジューリング構成要素３０２は、たとえば、プロセッサ４５３、メモリ４５５、および／またはトランシーバ４５６と連携して、これらのリソースを通してデバイス（たとえば、ＵＥ４０２）から１つまたは複数のメッセージを受信することができる。説明したように、たとえば、ＵＥ４０２は、１つまたは複数のＵＥにサイドリンクレポートするよりもむしろ（または、それに加えて）サーバにレポートするための周期的ステータスレポートのような１つまたは複数のメッセージを基地局４０４に送信し得る。
【００７１】
[0076]開示されたプロセスにおけるステップの特定の順序または階層が例示的なアプローチの例示であることは理解される。設計の選好に基づいて、これらのプロセスにおけるステップの特定の順序または階層が並べ替えられ得ることは理解される。さらに、いくつかのステップは組み合されたり省略されたりし得る。添付の方法の請求項は、様々なステップの要素を１つのサンプルの順序で提示し、それらが提示された特定の順序または階層に限られるようには意味されない。
【００７２】
[0077]先の説明は、当業者による、本明細書に説明された様々な態様の実践を可能にするために提供される。これらの態様に対する様々な修正は、当業者には容易に明らかとなり、本明細書に定義されている包括的な原理は、他の態様に適用され得る。ゆえに、特許請求の範囲は、本明細書に示された態様に限られるよう意図されたものではなく、特許請求の範囲における文言と一致する全範囲が付与されるべきものであり、ここにおいて、単数形の要素への参照は、別途明記されていない限り、「１つおよび１つのみ」を意味するよう意図されておらず、むしろ「１つまたは複数」を意味する。別途明記されていない限り、「何らかの／いくつかの」という用語は、１つまたは複数を指す。当業者に知られているかかまたは後に知られることとなる、本明細書で説明された様々な態様の要素と構造的および機能的に同等なものはすべて、参照によって本明細書に明確に組み込まれ、特許請求の範囲に包含されるよう意図される。さらに、本明細書に開示されているものはいずれも、そのような開示が特許請求の範囲に明示的に記載されているかどうかに関わらず、公に献呈されるよう意図されない。いずれの請求項の要素も、その要素が「〜ための手段」という表現を使用して明記されていない限り、ミーンズプラスファンクション（means plus function）として解釈されるべきではない。
【図１】
2018519745.tif 000003
【図２】
2018519745.tif 000004
【図３】
2018519745.tif 000005
【図４】
2018519745.tif 000006
【図５】
2018519745.tif 000007
【図６】
2018519745.tif 000008
【国際調査報告】
2018519745.tif 000009
2018519745.tif 000010
2018519745.tif 000011